(57)【要約】  使用状況に合わせて容易に把持力の強弱を調整することが可能な眼科用鑷子を提供する。管体（２１）と、一対のネック部（２２）と、そのネック部（２２）の先端側に位置する一対の把持部（２３）と、を有する鑷子部分（２０）を具備する眼科用鑷子（１０）であって、鑷子部分（２０）は、管体（２１）を摺動させてネック部（２２）を管体（２１）の内腔に収納することで把持部（２３）が閉じる構造であって、ネック部（２２）は、管体（２１）の中心軸側が凸である第１の湾曲又は屈曲部（２２ａ）と、管体（２１）の中心軸側が凹である第２の湾曲又は屈曲部（２２ｂ）と、を有し、第１の湾曲又は屈曲部（２２ａ）が管体側、第２の湾曲又は屈曲部（２２ｂ）が把持部側、に位置している眼科用鑷子（１０）とする。
2020179550.tif 000002
【特許請求の範囲】
【請求項１】
管体と、一対のネック部と、前記ネック部の先端側に位置する一対の把持部と、を有する鑷子部分を具備する眼科用鑷子であって、
前記鑷子部分は、前記管体を摺動させて前記ネック部を前記管体の内腔に収納することで前記把持部が閉じる構造であって、
前記ネック部は、前記管体の中心軸側が凸である第１の湾曲又は屈曲部と、前記管体の中心軸側が凹である第２の湾曲又は屈曲部と、を有し、前記第１の湾曲又は屈曲部が管体側、前記第２の湾曲又は屈曲部が把持部側、に位置していることを特徴とする眼科用鑷子。
【請求項２】
前記第１の湾曲又は屈曲部が前記管体の内腔に収納されたとき前記把持部同士が接触し、
前記第２の湾曲又は屈曲部が前記管体の内腔に収納されたとき前記把持部の把持力が向上することを特徴とする請求項１に記載の眼科用鑷子。
【発明の詳細な説明】
【技術分野】
【０００１】
本発明は、眼科手術に用いられる眼科用鑷子に関する。
【背景技術】
【０００２】
硝子体手術・白内障手術・緑内障手術等の眼科手術においては、眼組織等を把持・処置することが行われる。このような眼科手術において、眼科用手術器具等を眼球内で用いる際は、まず、カニューレを眼球に取り付け、そのカニューレを通して眼科用手術器具等を挿入する（例えば、特許文献１参照）。そして、眼科用手術器具の一例として、硝子体等の眼組織を掴んで処置する眼科用鑷子がある。【０００３】
図４は、従来の眼科用鑷子の使用図である。ここで、硝子体手術において眼球Ｅに取付けられる一般的なカニューレ４０は、金属性のパイプの基端部付近を樹脂製のベースに嵌め込んだ構成になっている。【０００４】
眼科用鑷子１００は、先端側が硝子体を掴む鑷子部分２０になっており、鑷子部分２０は、カニューレ４０を通して、眼球Ｅの内部に挿入される。鑷子部分２０の構成は、先端が把持部２３、その把持部２３から連続してネック部２２があり、さらにネック部２２から基端側は管体２１の内腔に納められている。管体２１としては、眼球Ｅの内部へ挿入されるため、非常に細い素材が使われている。また、作業中に、管体２１がカニューレ４０の外側で折れ曲がるのを防ぐために、管体２１の外側を補強スリーブ３３で補強することもある。【０００５】
眼科用鑷子１００の基本的な構成は、管体２１の外側に他の部品を介して本体部３５を有し、本体部３５に対し摺動する位置に移動部材３７を有している。ここで、移動部材３７と管体２１とは繋がっており、作動部３６を閉じたり開いたりすると、作動部３６から板バネ等の付勢手段で繋がっている移動部材３７が本体部３５に対して軸方向に動き、さらに移動部材３７に繋がっている管体２１が軸方向に摺動する。そうすることによって、ネック部２２が管体２１の内腔に入ったり出たりし、ネック部２２が管体２１の内腔に入ったときは把持部２３が閉じ、ネック部２２が管体２１の外側に出たときは把持部が開く。つまり、作動部３６を指で閉じると鑷子部分２０の把持部２３が閉じ、指を離して作動部３６を開くと把持部２３が開くことになる。尚、眼科用鑷子１００では補強スリーブ３３を設けているが、補強スリーブ３３を設けない場合もある。また、本体部３５に対し移動部材３７は、内側に配置されても良いし、外側に配置されても良い。【０００６】
しかし、このような従来の眼科用鑷子の場合、基本的に把持部を閉じるか開くかのどちらかであって、把持力を調整することは非常に難しい作業である。
【先行技術文献】
【特許文献】
【０００７】
【特許文献１】国際公開第２０１０／１２６０７６号
【発明の概要】
【発明が解決しようとする課題】
【０００８】
このような実情に鑑み、本発明は、使用状況に合わせて容易に把持力の強弱を調整することが可能な眼科用鑷子を提供することを目的としている。
【課題を解決するための手段】
【０００９】
本発明の眼科用鑷子は、管体と、一対のネック部と、そのネック部の先端側に位置する一対の把持部と、を有する鑷子部分を具備する眼科用鑷子であって、鑷子部分は、管体を摺動させてネック部を管体の内腔に収納することで把持部が閉じる構造であって、ネック部は、管体の中心軸側が凸である第１の湾曲又は屈曲部と、管体の中心軸側が凹である第２の湾曲又は屈曲部と、を有し、第１の湾曲又は屈曲部が管体側、第２の湾曲又は屈曲部が把持部側、に位置していることとする。【００１０】
また、第１の湾曲又は屈曲部が管体の内腔に収納されたとき把持部同士が接触し、第２の湾曲又は屈曲部が管体の内腔に収納されたとき把持部の把持力が向上することにするとよい。
【発明の効果】
【００１１】
本発明によれば、第１の湾曲又は屈曲部のみを管体の内腔に収納したときと、第２の湾曲又は屈曲部まで管体の内腔に収納したときとで、把持力が明確に異なるので、把持力の調整が容易であるという効果を奏する。【００１２】
また、第１の湾曲又は屈曲部が管体の内腔に収納されたとき把持部同士が接触し、第２の湾曲又は屈曲部が管体の内腔に収納されたとき把持部の把持力が向上することにすると、対象物を軽く摘みたい場合は第１の湾曲又は屈曲部まで、強く挟みたい場合は第２の湾曲又は屈曲部まで管体の内腔に収納すればよいので、使用状況に合わせて容易に使い分けが可能である。
【図面の簡単な説明】
【００１３】
【図１】本発明の眼科用鑷子に係る鑷子部の拡大図である。
【図２】鑷子部の動きを説明する図であり、（ａ）は鑷子部が開いた状態、（ｂ）は鑷子部を軽く閉じた状態、（ｃ）は鑷子部の把持力を強くした状態である。
【図３】眼科用鑷子の使用方法を説明する図である。
【図４】従来の眼科用鑷子の使用図である。
【発明を実施するための形態】
【００１４】
以下、本発明の実施の形態を、添付図面を参照して説明する。
【００１５】
図１は、本発明の眼科用鑷子に係る鑷子部の拡大図である。
【００１６】
眼科用鑷子１０の基本動作は、前述した従来のものと同様に、作動部を指で閉じると鑷子部分２０の把持部２３が閉じ、作動部を開くと把持部２３が開くというものである。
【００１７】
眼科用鑷子１０の鑷子部分２０は、管体２１と、一対のネック部２２と、そのネック部２２の先端側に位置する一対の把持部２３と、を有する構成である。ネック部２２から基端側は図示していないが、管体２１の中を通って作動部の根元付近で固定されている。
【００１８】
そして、作動部を指で閉じると、管体２１が軸方向に摺動して、ネック部２２が管体２１の内腔に収納され、先端の把持部２３が閉じる構造になっている。
【００１９】
ここで、ネック部２２は、管体側に第１の湾曲又は屈曲部２２ａ、把持部側に第２の湾曲又は屈曲部２２ｂを有していることとする。そして、第１の湾曲又は屈曲部２２ａは管体２１の中心軸側が凸の湾曲であり、第２の湾曲又は屈曲部２２ｂは管体２１の中心軸側が凹の湾曲である。言い換えると、管体２１の中心軸は、第１の湾曲又は屈曲部２２ａの外側、かつ、第２の湾曲又は屈曲部２２ｂの内側に位置することになる。
【００２０】
ここで、管体２１を摺動させてネック部２２を管体２１の内腔に収納したとき、把持部２３が閉じられるのだが、その鑷子部２０の動きを図を用いて説明する。図２は、鑷子部の動きを説明する図であり、（ａ）は鑷子部が開いた状態、（ｂ）は鑷子部を軽く閉じた状態、（ｃ）は鑷子部の把持力を強くした状態である。
【００２１】
図２（ａ）に示すようにネック部２２が管体２１の内腔に収納されていないときは、把持部２３同士は離れており、鑷子部２０が開いた状態となっている。そこから管体２１を摺動させてネック部２２の第１の湾曲又は屈曲部２２ａを管体２１の内腔に収納したとき、把持部２３同士が先端側から接触して、図２（ｂ）に示すように鑷子部２０が軽く閉じた状態となる。この状態において、対向する第２の湾曲又は屈曲部２２ｂを結んだときの最大幅は、管体２１の内径よりも大きい。
【００２２】
さらに、管体２１を摺動させて第２の湾曲又は屈曲部２２ｂまで管体２１の内腔に収納したとき、第２の湾曲又は屈曲部２２ｂがバネの働きをして把持部２３同士がより強く閉じることになる。ここで、第２の湾曲又は屈曲部２２ｂは管体２１の中心軸側が凹の湾曲なので、管体２１を摺動させたとき、湾曲の頂点が管体２１の内腔に収納されるまで把持部２３の把持力は強くなることになる。つまり、従来の眼科用鑷子のように把持部が閉じるか開くかのどちらかだけでなく、把持力を調節することが可能となる。
【００２３】
なお、第１の湾曲又は屈曲部２２ａと第２の湾曲又は屈曲部２２ｂとは曲がりの方向が逆であり、把持部２３同士の接触の前後で作動部を閉じる抵抗力が変化するので、把持力の状況は指の作動部に反映されることになり、把持力の調整を比較的容易に行うことができる。
【００２４】
ここで、第１の湾曲又は屈曲部２２ａの曲率半径Ｒ１は、第１の湾曲又は屈曲部２２ａが管体２１の内腔に収納されたときに把持部２３の先端同士が接触することを考慮して決定しなければならない。また、第２の湾曲又は屈曲部２２ｂの曲率半径Ｒ２は、第２の湾曲又は屈曲部２２ｂが管体２１の内腔に収納されるときのバネとしての力を考慮して決定されなければならない。
【００２５】
次に、把持部２３を軽く閉じた場合や強く閉じた場合を、実際にどのような場面で使用すればよいかを説明する。図３は、眼科用鑷子の使用方法を説明する図である。
【００２６】
図３（ａ）は、網膜５０上の増殖膜５１を引っ張っている状況である。このように増殖膜５１がほぼ網膜５０に接触しているような場合は、把持部２３で増殖膜５１を軽く摘んで引っ張り上げる必要がある。なお、このような場合に、把持力を強くし過ぎると、増殖膜５１が千切れる可能性があることから、あまり把持力は強くせず、軽く摘む程度にすることが必要である。
【００２７】
そうして、増殖膜５１をある程度引っ張り上げた後は、図３（ｂ）に示すようにしっかりと増殖膜５１を挟んで、除去する必要がある。このときは、増殖膜５１を落とさないように把持力を強くすることが要求される。なお、上記のような使用方法以外にも把持力の調整が必要になる場面はあり、本発明は、そのような把持力の調整を実現できるというメリットがある。また、ここでは眼組織を掴む例について説明しているが、例えば眼内レンズ等の眼科用器具を掴む際にも使用することが可能である。
【００２８】
また、言い換えると、第１の湾曲又は屈曲部２２ａのみを管体２１の内腔に収納したときは、把持部２３の先端で摘むという使い方であり、第２の湾曲又は屈曲部２２ｂまで管体２１の内腔に収納したときは、把持部２３の全体で挟むという使い方をしている。つまり、本発明の眼科用鑷子であれば、把持部が摘む形状と挟む形状の２種類の眼科用鑷子のそれぞれの特徴を、１本で実現することができるということになる。
【符号の説明】
【００２９】
１０ 眼科用鑷子
２０ 鑷子部分
２１ 管体
２１ａ 管体の中心軸
２２ ネック部
２２ａ 第１の湾曲又は屈曲部
２２ｂ 第２の湾曲又は屈曲部
２３ 把持部
３３ 補強スリーブ
３５ 本体部
３６ 作動部
３７ 移動部材
４０ カニューレ
５０ 網膜
５１ 増殖膜
【図１】
2020179550.tif 000003
【図２】
2020179550.tif 000004
【図３】
2020179550.tif 000005
【図４】
2020179550.tif 000006
【手続補正書】
【提出日】令和3年4月7日(2021.4.7)
【手続補正１】
【補正対象書類名】明細書
【補正対象項目名】００１３
【補正方法】変更
【補正の内容】
【００１３】
【図１】本発明の眼科用鑷子に係る鑷子部分の拡大図である。
【図２】鑷子部分の動きを説明する図であり、（ａ）は鑷子部分が開いた状態、（ｂ）は鑷子部分を軽く閉じた状態、（ｃ）は把持部の把持力を強くした状態である。
【図３】眼科用鑷子の使用方法を説明する図である。
【図４】従来の眼科用鑷子の使用図である。
【手続補正２】
【補正対象書類名】明細書
【補正対象項目名】００１５
【補正方法】変更
【補正の内容】
【００１５】
図１は、本発明の眼科用鑷子に係る鑷子部分の拡大図である。
【手続補正３】
【補正対象書類名】明細書
【補正対象項目名】００２０
【補正方法】変更
【補正の内容】
【００２０】
ここで、管体２１を摺動させてネック部２２を管体２１の内腔に収納したとき、把持部２３が閉じられるのだが、その鑷子部分２０の動きを図を用いて説明する。図２は、鑷子部分の動きを説明する図であり、（ａ）は鑷子部分が開いた状態、（ｂ）は鑷子部分を軽く閉じた状態、（ｃ）は把持部の把持力を強くした状態である。
【手続補正４】
【補正対象書類名】明細書
【補正対象項目名】００２１
【補正方法】変更
【補正の内容】
【００２１】
図２（ａ）に示すようにネック部２２が管体２１の内腔に収納されていないときは、把持部２３同士は離れており、鑷子部分２０が開いた状態となっている。そこから管体２１を摺動させてネック部２２の第１の湾曲部２２ａを管体２１の内腔に収納したとき、把持部２３同士が先端側から接触して、図２（ｂ）に示すように鑷子部分２０が軽く閉じた状態となる。この状態において、対向する第２の湾曲部２２ｂを結んだときの最大幅は、管体２１の内径よりも大きい。
【国際調査報告】
2020179550.tif 000007
2020179550.tif 000008
2020179550.tif 000009
2020179550.tif 000010